(57)【特許請求の範囲】
【請求項１】
鉄製のドア枠であって、両側の縦枠(5)を上枠(6)で連結しているドア枠において、以下の全ての構成を有することを特徴とするドア枠。
（ａ）  縦枠(5)と上枠(6)は、第１枠(1)と第２枠(2)を備える。
（ｂ）  第１枠(1)と第２枠(2)は、互いに室内側と室外側とに位置する。
（ｃ）  第１枠(1)は、鉄板を、横断面の全体形状をコ字状とするように折曲加工して、案内溝(7)を有する形状に折曲加工している。
（ｄ）  第１枠(1)の案内溝(7)は、第２枠(2)と対向する側を開口部とする溝型である。
（ｅ）  第１枠(1)は、案内溝(7)の開口部の一部を閉塞するように、戸当支持部(10)を設けており、この戸当支持部(10)の側縁に沿ってラップ部(15)を設けている。
（ｆ）  第２枠(2)は、鉄板の両側部をコ字状に外側に折曲加工して、両側に折返部(8)を設けて、第１枠(1)の案内溝(7)に入れることができる厚さの折返部(8)を有する形状に鉄板を折曲加工している。
（ｇ）  折返部(8)は、案内溝(7)の底面に対向する対向面を有する。
（ｈ）  第２枠(2)の折返部(8)を第１枠(1)の案内溝(7)に入れると共に、第１枠(1)の案内溝(7)の底面と折返部(8)の対向面との間に断熱材(9)を挟着して、第１枠(1)と第２枠(2)とを固定している。
（ｉ）  第１枠(1)は、案内溝(7)の内幅を第２枠(2)の折返部(8)の厚さよりも広くして、案内溝(7)の開口部の一部を閉塞する方向に折曲している戸当支持部(10)を有する。
（ｊ）  第２枠(2)の折返部(8)の厚さ(t)は、案内溝(7)の開口幅にほぼ等しく、第２枠(2)の折返部(8)を第１枠(1)の案内溝(7)に入れて、第１枠(1)と第２枠(2)を遊びなく連結している。
（ｋ）  第１枠(1)の案内溝(7)の底面と第２枠(2)の折返部(8)とを連結して固定している。
【請求項２】
第１枠(1)が室内側にあって第２枠(2)が室外側にある請求項１に記載されるドア枠。
【請求項３】
第１枠(1)が室外側にあって第２枠(2)が室内側にある請求項１に記載されるドア枠。
【請求項４】
第１枠(1)の案内溝(7)の底面と第２枠(2)の折返部(8)とを止ネジ(11)で連結して固定している請求項１に記載されるドア枠。
【請求項５】
断熱材(9)が、弾性変形できる弾性材である請求項１に記載されるドア枠。
【請求項６】
断熱材(9)が、合成樹脂の発泡体である請求項１に記載されるドア枠。
【発明の詳細な説明】
【０００１】
【発明の属する技術分野】
本発明は、寒いときに室内側に発生する結露を防止するドア枠に関する。
【０００２】
【従来の技術】
ドア枠は、寒いときに室内側で結露することがある。ドア枠の室内側が室外側で冷却されて冷たくなるからである。冷たいドア枠は、接触する空気を冷却する。空気は冷却されると含有できる水分量が少なくなり、過飽和となった水蒸気が水滴となって結露する。この弊害は、ドア枠の室外側の温度を室温に近い状態にして解消できる。この状態は、寒い室外の冷たい空気で室内側を冷却しない構造、いいかえると、室内側と室外側とを断熱して実現できる。
【０００３】
このことを実現するドア枠として、図１に示す断面のものが開発されている。この図のドア枠は、室内側と室外側を、第１枠１と第２枠２とに分離している。第１枠１と第２枠２は、硬質のプラスチック成形材３で連結される。プラスチック成形材３で連結するために、第１枠１と第２枠２は、開口部の幅を狭くするアンダーカット溝４を設けている。プラスチック成形材３は、アンダーカット溝４に嵌着できる凸条を成形して設けている。このドア枠は、第１枠１と第２枠２のアンダーカット溝４にプラスチック成形材３の凸条を入れて組み立てられる。プラスチック成形材３は、熱伝導率が金属に比較して小さい。このため、全体を金属で製作するドア枠に比較すると、第１枠１と第２枠２を断熱する状態で連結できる。
【０００４】
【発明が解決しようとする課題】
図１に示す断面形状の第１枠と第２枠は、アルミニウムの引き抜き加工で製造される。しかしながら、この構造のドア枠は、鉄板を折曲加工して製作される鉄製のドア枠としては製造できない。このため、この構造のアルミニウム製のドア枠に特定される。さらに、図に示すドア枠は、第１枠と第２枠をプラスチック成形材で連結するので、両方の枠材をしっかりと連結するのが難しい。プラスチックの強度や硬さが、アルミニウムや鉄等の金属に比較して低いからである。さらに、第１枠と第２枠を連結するプラスチック成形材は、強固な構造が要求されるので、断熱特性のすぐれた発泡体等は使用できない。発泡体は、優れた断熱特性を有するが、しっかりと強固な構造にできないからである。したがって、図のドア枠は、第１枠と第２枠とを充分に断熱しながら、両者をしっかりと連結できない欠点がある。
【０００５】
さらに、アルミニウム製のドア枠は、甲種耐火構造にできない。甲種耐火構造のドア枠は、鉄製とする必要がある。したがって甲種耐火構造であって、室内の結露を有効に防止できるドア枠は、現在は開発されていないのが実状である。
【０００６】
本発明は、従来のドア枠が有する以上の欠点を解決し、さらに甲種耐火構造が実現可能な鉄製ドア枠でもって、室内の結露を有効に阻止することを目的に開発されたもので、本発明の大切な目的は、優れた断熱特性としっかりした強度とを実現しながら、鉄製でもって結露を有効に防止できるドア枠を提供することにある。
【０００７】
【課題を解決するための手段】
本発明のドア枠は鉄製で、両側の縦枠５を上枠６で連結している。さらに、本発明のドア枠は、以下の独特の構成を有する。
（ａ）  縦枠５と上枠６は、第１枠１と第２枠２を備える。
（ｂ）  第１枠１と第２枠２は、互いに室内側と室外側とに位置する。
（ｃ）  第１枠１は、鉄板を、横断面の全体形状をコ字状とするように折曲加工して、案内溝７のある形状に折曲加工している。
（ｄ）  第１枠１の案内溝７は、第２枠２と対向する側を開口部とする溝型である。
（ｅ）    第１枠１は、案内溝７の開口部の一部を閉塞するように、戸当支持部１０を設けており、この戸当支持部１０の側縁に沿ってラップ部１５を設けている。
（ｆ）  第２枠２は、鉄板の両側部をコ字状に外側に折曲加工して、両側に折返部８を設けて、第１枠１の案内溝７に入れることができる厚さの折返部８を有する形状に鉄板を折曲加工している。
（ｇ）  折返部８は、案内溝７の底面に対向する対向面を有する。
（ｈ）  第２枠２の折返部８を第１枠１の案内溝７に入れると共に、第１枠１の案内溝７の底面と折返部８の対向面との間に断熱材９を挟着して、第１枠１と第２枠２とを固定している。
（ｉ）  第１枠１は、案内溝７の内幅を第２枠２の折返部８の厚さよりも広くして、案内溝７の開口部の一部を閉塞する方向に折曲している戸当支持部１０を有する。
（ｊ）  第２枠２の折返部８の厚さ（ｔ）は、案内溝７の開口幅にほぼ等しく、第２枠２の折返部８を第１枠１の案内溝７に入れて、第１枠１と第２枠２を遊びなく連結している。
（ｋ）  第１枠１の案内溝７の底面と第２枠２の折返部８とを連結して固定している。
【０００８】
以上のドア枠は、第１枠１を室内側として第２枠２を室外側とし、あるいは、第１枠１を室外側として第２枠２を室内側とすることができる。第１枠１の案内溝７の底面と第２枠２の折返部８は、止ネジ１１で連結して固定することができる。断熱材９には、弾性変形できる弾性材を使用することができる。この断熱材９は、合成樹脂の発泡体とすることができる。
【０００９】
【発明の実施の形態】
以下、本発明の実施例を図面に基づいて説明する。ただし、以下に示す実施例は、本発明の技術思想を具体化するためのドア枠を例示するものであって、本発明はドア枠を下記のものに特定しない。
【００１０】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図２はドア枠の水平断面を示し、図３はドア枠の垂直断面図を示す。これ等の図に示すドア枠は、両側の縦枠５と上枠６と下枠１２とを有する。上枠６は、両側の縦枠５の上端を連結している。下枠１２は、両側の縦枠５の下端を連結している。このドア枠は、両側の縦枠５と上枠６と下枠１２とを長方形に連結している。この構造は、ドア枠を製造工場で長方形に連結して、施工現場に運搬できる。ただ、本発明のドア枠は、必ずしも下枠を必要としない。縦枠と上枠をコンクリートや壁等の建物躯体に連結して、縦枠の下端を床や土間にできるからである。
【００１２】
図のドア枠は鉄製である。両側の縦枠５と上枠６は、第１枠１と第２枠２で構成される。下枠１２は、図３の断面図に示すように、折曲加工した２枚の鉄板を溶接等の方法で連結して製作される。これ等の図に示すドア枠は、第１枠１を室内側に配置して、第２枠２を室外側に配置している。ただ、本発明のドア枠は、図示しないが、第１枠を室外側として第２枠を室内側に配置することもできる。
【００１３】
第１枠１は、所定の幅に裁断している鉄板を折曲加工して製作される。第１枠１は、案内溝７のある溝型に折曲加工される。案内溝７は、第２枠２の一部を入れることができるように、第２枠２と対向する側を開口部とするようにしている。図２の縦枠５は、図において、上側に第２枠２を下側に第１枠１を配置しているので、第１枠１の案内溝７は上方を開口している。図３の上枠６は、図において右側に第１枠１を左側に第２枠２を配置しているので、案内溝７は左側を開口している。
【００１４】
さらに、図２と図３に示す第１枠１は、案内溝７の内幅を、第２枠２の折返部８の厚さよりも広くしている。図の第１枠１は、案内溝７の内幅を第２枠２の折返部８の厚さの約２倍としている。さらに、この第１枠１は、ドア枠の内側となる縁部に沿って戸当支持部１０を設けている。戸当支持部１０は、案内溝７の開口部の一部を閉塞する方向に折曲された部分である。戸当支持部１０は、エアータイトパッキン１３を定位置に固定するために設けられる。エアータイトパッキン１３が位置ずれしないように、戸当支持部１０は、両側に隔壁１４を有する。戸当支持部１０の片側の隔壁１４は、第２枠２である。他の片側の隔壁１４は、第１枠１の中間のラップ部１５で設けられる。ラップ部１５は、鉄板が戸当支持部１０から内側に突出するように、鉄板を折り返して部けられる。このドア枠は、エアータイトパッキン１３を簡単に、しかも位置ずれしないように定位置に固定できる特長を有する。
【００１５】
図に示す第１枠１は、横断面の全体形状をコ字状とするように折曲加工している。そして、案内溝７の開口部の一部を閉塞するように、戸当支持部１０を設けている。戸当支持部１０の側縁に沿ってラップ部１５を設けている。
【００１６】
第２枠２は、全体の形状がＣ型鋼に近い横断面形状となるように、鉄板を折曲加工している。図の第２枠２は、鉄板の両側部をコ字状に外側に折曲加工して、両側に折返部８を設けている。両側を同じように折曲している第２枠２は、第１枠１に連結する方向を特定する必要がない。折返部８は、案内溝７の底面に対向する対向面を有する。対向面は、折返部８を案内溝７に入れた状態で、案内溝７の底面と平行になる。互いに平行となる折返部８の対向面と案内溝７の底面が、その間に配設される断熱材９を挟着して固定する。第２枠２の全体の幅（Ｗ）は、案内溝７の深さ（ｄ）よりも大きい。図に示すように、第２枠２が第１枠１から突出する突出部の内側に、ドアを配設するためである。
【００１７】
第２枠２の折返部８の厚さは、案内溝７の開口幅にほぼ等しい。この構造のドア枠は、第２枠２の折返部８を第１枠１の案内溝７に入れて、第１枠１と第２枠２を遊びなく正確な位置に連結できる。
【００１８】
断熱材９は、第１枠１の案内溝７の底に入れられる。この断熱材９は、第１枠１に第２枠２を連結する状態で、案内溝７の底面と折返部８の対向面とで挟着して固定される。第１枠１と第２枠２は、案内溝７の底面と折返部８の対向面との間に隙間ができる形状に加工される。この隙間に断熱材９を挟着するためである。断熱材９は、弾性変形できる弾性材、たとえば、軟質の合成樹脂の発泡体である。この断熱材９は、幅を案内溝７の内幅にほぼ等しくして、厚さを互いに連結される案内溝７の底面と折返部８の対向面との隙間よりも大きくしている。この断熱材９は、案内溝７の底面と折返部８の対向面とに挟着されるときに、多少は薄く押しつぶされる。このため、案内溝７の底面と折返部８の対向面とに隙間なく密着して固定される。この構造は、第１枠１と第２枠２を気密な状態で連結する。したがって、ドア枠を隙間風が通過することがない。
【００１９】
図のドア枠は、第１枠１と第２枠２を止ネジ１１で連結して固定している。止ネジ１１は、案内溝７の底面を貫通し、第２枠２の対向面にねじ込まれて、第１枠１と第２枠２を固定する。この構造は、止ネジ１１のねじ込み量で対向面と案内溝７の底との隙間を最適値に調整できる。
【００２０】
以上の構造のドア枠は、以下の工程で組み立てられる。
(1)  第１枠１の案内溝７に断熱材９を入れる。
(2)  第２枠２の折返部８を第１枠１の案内溝７に入れる。
(3)  第１枠１の外側から、案内溝７の底面を貫通して折返部８の断熱材９に向かって止ネジ１１をねじ込んで、第１枠１と第２枠２を連結して固定する。この状態で、断熱材９は、案内溝７の底面と折返部８の対向面との間に多少は押し潰される状態で挟着される。
【００２１】
ドア枠は、第１枠１と第２枠２を連結している縦枠５と上枠６を連結して組み立てることができる。ただ、図４に示すように、縦枠５と上枠６の第１枠１を直角に連結して、この第１枠１の案内溝７に、直角に連結している縦枠と上枠の第２枠を入れて連結することもできる。
【００２２】
【発明の効果】
本発明のドア枠は、優れた断熱特性を実現しながら、しっかりした強度にできる特長がある。それは、鉄板からなる第１枠と第２枠とを独特の構造で連結するからである。優れた断熱特性と、しっかり連結できるふたつの特長は、第１枠に設けた案内溝に、第２枠の折返部を入れて連結すると共に、第１枠と第２枠とを止ネジ等で連結する状態で、第１枠の案内溝の底面と折返部の対向面との間に断熱材を挟着して固定する構造で実現される。この位置に挟着される断熱材は、第１枠と第２枠を連結する強度が要求されない。したがって、断熱材には、たとえば合成樹脂発泡体や無数のガラス繊維を集合している断熱材を使用することができて、断熱特性を著しく向上できる。このため、鉄製として室内側に発生する結露を有効に防止できる。また、第１枠の案内溝に第２枠の折返部を入れて固定するので、両方をしっかりと強固に連結できる。
【００２３】
さらに、本発明のドア枠は、図１に示す従来のドア枠のように、複雑な断面形状に加工する必要がない。こため、鉄板を加工して第１枠と第２枠を製作できる。鉄板の第１枠と第２枠は、アルミニウム枠では実現できない耐熱特性と強度とがあり、たとえば、甲種耐火構造のドア枠ユニットを実現できる。
【図面の簡単な説明】
【図１】従来のドア枠の横断面図
【図２】本発明の実施例にかかるドア枠の水平断面図
【図３】本発明の実施例にかかるドア枠の垂直断面図
【図４】縦枠と上枠の第１枠を連結する状態を示す斜視図
【符号の説明】
１…第１枠
２…第２枠
３…プラスチック成形材
４…アンダーカット溝
５…縦枠
６…上枠
７…案内溝
８…折返部
９…断熱材
１０…戸当支持部
１１…止ネジ
１２…下枠
１３…エアータイトパッキン
１４…隔壁
１５…ラップ部
【図１】
0003634760.tif 000002
【図２】
0003634760.tif 000003
【図３】
0003634760.tif 000004
【図４】
0003634760.tif 000005